(57)【要約】【課題】  場の雰囲気を効果的に盛り上げるエフェクト機能を備えた音楽再生装置を提供する。【解決手段】  演奏曲の出力中において、所定の入力操作に応じて予め記憶されたエフェクト音声を出力させると共に、そのエフェクト音声の出力と同期して予め記憶されたエフェクト映像を前記背景映像に付加して表示させるエフェクト情報出力手段９２を含むことから、エフェクト音声のみを出力させる場合に比べて強い印象を与えることができる。【選択図】  図６
2005173080.tif 000002
【特許請求の範囲】
【請求項１】
複数の演奏曲のうちから選択された所望の演奏曲を出力させると共に、所定の背景映像を表示させる音楽再生装置であって、
前記演奏曲の出力中において、所定の入力操作に応じて予め記憶されたエフェクト音声を出力させると共に、該エフェクト音声の出力と同期して予め記憶されたエフェクト映像を前記背景映像に付加して表示させることを特徴とする音楽再生装置。
【請求項２】
前記エフェクト映像は、前記背景映像を表示させるための第１レイヤと演奏曲の歌詞文字映像を表示させるための第２レイヤとの間に設けられるアクティブレイヤにより少なくとも前記背景映像に重ねて表示されるものである請求項１の音楽再生装置。
【請求項３】
前記エフェクト音声及びエフェクト映像を出力させるためのエフェクト情報を取り込んで記憶させるエフェクト情報取込手段を含むものである請求項１又は２の音楽再生装置。
【請求項４】
前記エフェクト情報取込手段は、映像、音声、及び文字のうち少なくとも１つを前記エフェクト情報の要素として取り込むものである請求項３の音楽再生装置。
【請求項５】
前記エフェクト情報取込手段は、所定の通信式情報端末との間で通信を行うことにより前記エフェクト情報を取り込むものである請求項３又は４の音楽再生装置。
【請求項６】
前記エフェクト情報取込手段は、所定の座標指定入力装置を用いて描かれた映像を取り込むものである請求項３又は４の音楽再生装置。
【請求項７】
前記エフェクト情報取込手段は、所定の撮像装置により撮像された映像を取り込むものである請求項３又は４の音楽再生装置。
【請求項８】
前記エフェクト情報取込手段は、所定の音声入力装置により入力された音声を取り込むものである請求項３から７の何れかの音楽再生装置。
【請求項９】
前記エフェクト情報取込手段により取り込まれた映像に、予め用意された映像及び／又は文字を付加してエフェクト映像を編集するエフェクト情報編集手段を含むものである請求項３から８の何れかの音楽再生装置。
【発明の詳細な説明】
【技術分野】
【０００１】
本発明は、例えば、カラオケボックスで使用されるカラオケ装置等の音楽再生装置に関し、特に、サウンドエフェクト機能の改良に関する。
【背景技術】
【０００２】
複数の演奏曲のうちから選択された所望の演奏曲を出力させる音楽再生装置が知られている。例えば、カラオケボックス等で使用されるカラオケ装置がそれである。斯かるカラオケ装置によれば、予め記憶装置に記憶された複数の演奏曲から選択された所望の演奏曲の音楽情報を出力させると共に、その演奏曲の歌詞情報を含む映像をその出力に同期して画面に表示させることで、所望の歌のカラオケ演奏を楽しむことができる。
【０００３】
近年、所定の背景映像に歌詞文字映像（歌詞テロップ）を付加する態様のカラオケ装置が普及している。例えば、カラオケサービス提供会社のホストサーバと通信回線によって接続される通信カラオケ装置がその一例である。斯かる態様のカラオケ装置では、背景映像を複数種類の演奏曲に汎用できるため、各演奏曲にあつらえの映像を用意する必要がなく、比較的多数の曲を演奏できるという利点がある反面、背景映像の種類に限りがあることから、同じ背景映像が繰り返し再生される可能性があり、利用者を飽きさせ勝ちであった。そこで、背景映像の面白みを向上させるための技術が開発されている。例えば、特許文献１に記載された音楽再生装置がそれである。斯かる音楽再生装置は、演奏者の映像を第２の背景映像として所定の背景映像中に付加して出力させるものであるため、あたかも演奏者がその背景映像の中で歌っているような雰囲気を形成することができ、利用者を飽きさせないという利点がある。
【０００４】
【特許文献１】特開平１１−６９２２８号公報
【０００５】
ところで、一般的なカラオケ装置では、入力装置であるリモコン等による所定の入力操作に応じて、カラオケ演奏の曲間乃至は曲中に拍手や鳴り物の音を挿入したり、車の排気音や爆発音等といった効果音を出力させるサウンドエフェクト（Sound Effect）機能が備えられている。この機能は、カラオケ演奏における場の雰囲気を盛り上げるために用いられるものであるが、鳴り物や効果音の性質上その出力時間は比較的短いことから、印象に残り辛く場の雰囲気の形成に繋がり難いという不具合があった。本発明者は、斯かるサウンドエフェクト機能による印象を強めるべく鋭意研究を継続した結果、鳴り物や効果音に同期して第２の背景映像を所定の背景映像に付加して出力させる技術を発想するに至った。
【発明の開示】
【発明が解決しようとする課題】
【０００６】
本発明は、以上の事情を背景として為されたものであり、その目的とするところは、場の雰囲気を効果的に盛り上げるエフェクト機能を備えた音楽再生装置を提供することにある。
【課題を解決するための手段】
【０００７】
斯かる目的を達成するために、本発明の要旨とするところは、複数の演奏曲のうちから選択された所望の演奏曲を出力させると共に、所定の背景映像を表示させる音楽再生装置であって、前記演奏曲の出力中において、所定の入力操作に応じて予め記憶されたエフェクト音声を出力させると共に、そのエフェクト音声の出力と同期して予め記憶されたエフェクト映像を前記背景映像に付加して表示させることを特徴とするものである。
【発明の効果】
【０００８】
このようにすれば、前記演奏曲の出力中において、所定の入力操作に応じて予め記憶されたエフェクト音声を出力させると共に、そのエフェクト音声の出力と同期して予め記憶されたエフェクト映像を前記背景映像に付加して表示させるものであることから、エフェクト音声のみを出力させる場合に比べて強い印象を与えることができる。すなわち、場の雰囲気を効果的に盛り上げるエフェクト機能を備えた音楽再生装置を提供することができる。
【０００９】
ここで、好適には、前記エフェクト映像は、前記背景映像を表示させるための第１レイヤと演奏曲の歌詞文字映像を表示させるための第２レイヤとの間に設けられるアクティブレイヤにより少なくとも前記背景映像に重ねて表示されるものである。このようにすれば、実用的な態様で前記エフェクト映像を背景映像に付加できるという利点がある。
【００１０】
また、好適には、前記エフェクト音声及びエフェクト映像を出力させるためのエフェクト情報を取り込んで記憶させるエフェクト情報取込手段を含むものである。このようにすれば、利用者により入力されたエフェクト情報に基づいて多様なエフェクト音声及びエフェクト映像を出力させることができるという利点がある。
【００１１】
また、好適には、前記エフェクト情報取込手段は、映像、音声、及び文字のうち少なくとも１つを前記エフェクト情報の要素として取り込むものである。このようにすれば、利用者により入力された映像、音声、及び文字を要素として多様なエフェクト情報を形成できるという利点がある。
【００１２】
また、好適には、前記エフェクト情報取込手段は、所定の通信式情報端末との間で通信を行うことにより前記エフェクト情報を取り込むものである。このようにすれば、実用的な態様で前記エフェクト情報を取り込むことができるという利点がある。
【００１３】
また、好適には、前記エフェクト情報取込手段は、所定の座標指定入力装置を用いて描かれた映像を取り込むものである。このようにすれば、利用者により描かれた映像を前記エフェクト映像乃至はその要素として取り込むことができるという利点がある。
【００１４】
また、好適には、前記エフェクト情報取込手段は、所定の撮像装置により撮像された映像を取り込むものである。このようにすれば、前記撮像装置により撮像された利用者の映像を前記エフェクト映像乃至はその要素として取り込むことができるという利点がある。
【００１５】
また、好適には、前記エフェクト情報取込手段は、所定の音声入力装置により入力された音声を取り込むものである。このようにすれば、利用者により入力された音声を前記エフェクト音声乃至はその要素として取り込むことができるという利点がある。
【００１６】
また、好適には、前記エフェクト情報取込手段により取り込まれた映像に、予め用意された映像及び／又は文字を付加してエフェクト映像を編集するエフェクト情報編集手段を含むものである。このようにすれば、利用者の所望に応じて多様なエフェクト情報を編集できるという利点がある。
【実施例】
【００１７】
以下、本発明の好適な実施例を図面に基づいて詳細に説明する。
【００１８】
図１は、本発明が適用された音楽再生装置の一実施例であるカラオケ装置１０の構成を説明するブロック線図である。このカラオケ装置１０は、ＣＲＴ等の映像表示装置１２と、背景映像再生装置であるディスクプレーヤ１４と、映像合成装置であるビデオミキサ１６と、アンプミキサ１８と、スピーカ２０と、音声入力装置であるマイク２２と、入力装置である操作パネル２４と、中央演算処理装置であるＣＰＵ２６、ＲＯＭ２８、ＲＡＭ３０、記憶装置であるハードディスク３２、モデム３４、ＣＲＴコントローラ３６、上記操作パネル２４等の入力装置からの入力信号を処理する入出力インターフェイス３８、音楽情報を生成して出力するためのシンセサイザ４０、ブルートゥースモジュール４２、座標指定入力装置であるタブレット４４、及び撮像装置であるデジタルカメラ４６とを、備えて構成されている。
【００１９】
上記ＣＰＵ２６は、上記ＲＡＭ３０の一時記憶機能を利用しつつ上記ＲＯＭ２８に記憶された所定のプログラムに基づいて電子情報を処理・制御する所謂コンピュータシステムであり、前記カラオケ装置１０によりカラオケ演奏を行う利用者（ユーザ）の操作により所定のカラオケ演奏曲が選曲された場合、上記ハードディスク３２から上記ＲＡＭ３０に選曲されたカラオケ演奏曲の演奏情報及び歌詞情報等を読み出したり、カラオケ演奏が進行するのに応じてそのＲＡＭ３０から上記シンセサイザ４０へ演奏情報を送信したり、歌詞情報に基づいて歌詞文字映像を生成して上記ＣＲＴコントローラ３６へ送ったり、選曲時には曲名文字映像を生成して上記ＣＲＴコントローラ３６へ送る等の基本的な制御の他、所定の入力操作に応じて後述するエフェクト入出力制御を実行する。
【００２０】
前記操作パネル２４は、利用者が歌いたいカラオケ演奏曲を選択したり、演奏曲の音程を調整したり、演奏と歌との音量バランスを調整したり、カラオケ演奏に関する各種のモード設定を行ったり、その他、エコー、音量、トーン等の各種調整を行うための操作釦（スイッチ）或いはツマミを備えた入力操作装置である。また、前記カラオケ装置１０には、前記操作パネル２４と同様に入力操作装置として機能するその操作パネル２４の一部機能を遠隔で実行するためのリモコン４８が備えられている。
【００２１】
図２は、上記リモコン４８の操作部を説明する図である。このリモコン４８の操作部には、０から９までの数字を示す１０個の数字釦５０、選曲／送信釦（以下、単に選曲釦と称する）５２、左右上下の矢印釦５４、取消釦５６、演奏停止釦５８、割込釦６０、及びエフェクトを出力させるために入力操作される拍手／ＳＥ釦（以下、単にＳＥ釦と称する）６２が備えられている。また、操作補助・確認のための表示部６４が設けられている。上記数字釦５０は、選曲番号の入力や後述するエフェクト番号の指定等を行うための釦（スイッチ）であり、その数字釦５０が押されることで数字等が上記表示部６４に表示される。また、上記取消釦５６が押されることで上記表示部６４に表示された数字等が消去させられる。選曲操作においては、上記表示部６４に所定の数字が表示された状態で上記選曲釦５２が押されることでその選曲番号が発信されて前記カラオケ装置１０に登録される。また、エフェクト出力操作においては、上記表示部６４に所定の数字が表示された状態で上記ＳＥ釦６２が押されることでその番号が発信されて前記カラオケ装置１０により所定のエフェクト音声及びエフェクト映像が出力される。左右上下の矢印釦５４は、前記映像表示装置１２に選択肢が表示された際、同様に表示されるカーソル等を左右上下に移動させるための釦であり、その矢印釦５４の操作に応じてカーソル移動信号が出力され、上記選曲釦５２が押されることにより選択された項目が確定する。また、前記カラオケ装置１０によるカラオケ演奏中に左右の矢印釦５４が操作されると、演奏音の音程を変更するための音程変更信号が出力される。上記演奏停止釦５８は、カラオケ演奏を中途で停止するための釦であり、前記カラオケ装置１０による演奏中にこの演奏停止釦５８が押されると、その時点において演奏されているカラオケ演奏が停止される。上記割込釦６０は、前記ＲＡＭ３０に記憶された演奏順（演奏待ちリスト）に所望の演奏曲を割り込ませる割込選曲操作を行うための釦であり、その割込釦６０が押されると、その時点で演奏されている曲の次に演奏されるように所望の演奏曲を予約することができる。
【００２２】
前記ディスクプレーヤ１４は、カラオケ演奏時に前記映像表示装置１２に表示される背景映像を記憶したＣＤやＤＶＤを再生する背景映像再生装置である。また、前記ビデオミキサ１６は、前記ハードディスク３２から読み出された歌詞情報に基づいて前記ＣＰＵ２６において生成され且つ前記ＣＲＴコントローラ３６から出力される歌詞文字映像（歌詞テロップ）と、前記ディスクプレーヤ１４等から送られる背景映像とを合成して前記映像表示装置１２に表示させる映像合成装置である。
【００２３】
前記シンセサイザ４０は、前記ハードディスク３２から読み出された演奏情報に基づき、楽器の演奏音等の音楽信号を生成する音源である。生成された音楽信号は、アナログ信号に変換されて前記アンプミキサ１８へ送られる。そのアンプミキサ１８では、送られてきた音楽信号と前記マイク２２を介して入力される利用者の歌声とがミキシングされ、それらの信号が電気的に増幅されて前記スピーカ２０から出力される。
【００２４】
前記ブルートゥースモジュール４２は、同様にブルートゥースモジュールを有する通信式情報端末である携帯電話機やＰＤＡ（Personal Display Connector）等から送信されたブルートゥース信号を受信して前記ＣＰＵ２６へ供給すると共に、そのＣＰＵ２６から出力されたブルートゥース信号を送信する送受信装置である。
【００２５】
図３は、前記タブレット４４の構成を説明する図である。このタブレット４４は、前記映像表示装置１２の画面上の位置指定や座標データの入力を行うための座標指定入力装置（Pointing Device）の一例であり、位置乃至は座標を指定するためのペン６６と、そのペン６６により指定された位置乃至は座標を検出するための本体装置６８とがそれぞれ別体として設けられている。上記ペン６６を本体装置６８に近接乃至は接触させた状態で相対的に移動させることによりそれらの相対位置の変化が前記ＣＰＵ２６に入力され、その移動軌跡が前記映像表示装置１２の画面に映像として表示される。また、上記本体装置６８には、各種設定や文字の入力等を行うための複数の操作釦７０及び描かれた映像をプレビューするための表示部７２が設けられている。
【００２６】
前記デジタルカメラ４６は、ＣＣＤ（Charge Coupled Device）等の撮像素子を用いて映像を電気信号に変換し、その映像情報をデジタル化して前記ＣＰＵ２６等に供給する撮像装置である。このデジタルカメラ４６は、好適には、静止画及び動画の何れも撮像し得るものである。
【００２７】
図４は、前記ハードディスク３２に設けられた各種データベースを説明する図である。この図４に示すように、前記ハードディスク３２には、カラオケ情報を記憶するためのカラオケデータベース７４と、エフェクト情報を記憶するためのエフェクトデータベース７６とが設けられている。前記カラオケ装置１０に備えられたモデム３４は、前記ＣＰＵ２６及びハードディスク３２等を公衆電話回線、有線放送用ケーブル、又は光ファイバ等による通信回線７８に接続するための装置である。カラオケボックス等の店舗にそれぞれ設置された複数のカラオケ装置１０は、上記通信回線７８を介して図示しないカラオケサービス提供会社のホストサーバに接続されており、それら複数のカラオケ装置１０によって常に新しい曲が演奏可能とされるように、或いは最新のエフェクト音声及びエフェクト映像が出力可能とされるように、随時新曲のカラオケ情報及び新しいエフェクト情報等がダウンロードされ、前記ハードディスク３２に設けられたカラオケデータベース７４及びエフェクトデータベース７６にそれぞれ記憶されるようになっている。すなわち、前記カラオケ装置１０は、電気通信回線を通じて各種情報の送受信を行う通信式カラオケ装置である。
【００２８】
前記カラオケ情報は、演奏音を生成するための演奏情報及び歌詞文字映像（歌詞テロップ）を生成するための歌詞情報から成るものであり、コンテンツＩＤである各演奏曲に固有の選曲番号により識別される。上記カラオケデータベース７４には、例えば、選曲番号により識別される各演奏曲のカラオケ情報すなわち曲名及び歌手名等を含むタイトル情報、背景映像を指定するための背景映像指定情報、ＭＩＤＩ（Musical Instrument Digital Interface）形式にて圧縮された演奏情報、及び歌詞情報等が記憶されるようになっている。
【００２９】
前記エフェクト情報は、エフェクト音声（Sound Effect）を生成するための音声情報及びエフェクト映像（Visual Effect）を生成するための映像情報から成るものであり、コンテンツＩＤであるファイル番号により識別される。図５は、前記エフェクトデータベース７６の一例を示す図であり、このエフェクトデータベース７６には、例えば、ファイル番号により識別される各エフェクト情報及びその簡単な内容が記憶されるようになっている。このファイル番号は、前記リモコン４８等によるエフェクトの出力操作においても用いられるものであり、例えば、前記リモコン４８の表示部６４に「12」が表示されている状態で前記ＳＥ釦６２が押されることで、ファイル番号「12」のエフェクト情報に対応する「爆発」のエフェクトが出力される。この「爆発」のエフェクトは、図９に示すような爆発に際しての光を表す短時間（数秒間）の動画乃至は静止画であるエフェクト映像を、図７に示すような背景映像及び図８に示すような歌詞文字映像に付加（合成）して図１０に示すようなカラオケ映像として表示させるのと同期して、爆発音を表すエフェクト音声を出力させるものであり、あたかも爆発が起こったかのような印象を与えるためのエフェクトである。また、図５に示すように、上記エフェクトデータベース７６には、二桁のファイル番号に対応して共通（デフォルト）のエフェクト情報が予め用意されていると共に、利用者の入力乃至は編集により三桁のファイル番号に対応してオリジナルのエフェクト情報を記憶できるようになっている。
【００３０】
図６は、前記ＣＰＵ２６による制御機能の要部を説明する機能ブロック線図である。この図６に示すエフェクト情報取込手段８０は、前記エフェクト情報を取り込んで前記ハードディスク３２のエフェクトデータベース７６に記憶させる。このエフェクト情報取込手段８０は、好適には、映像、音声、及び文字のうち少なくとも１つを前記エフェクト情報の要素として取り込むものであり、エフェクト映像乃至はその要素を取り込むエフェクト映像取込手段８２と、エフェクト音声乃至はその要素を取り込むエフェクト音声取込手段８４とを備えている。
【００３１】
上記エフェクト情報取込手段８０は、好適には、携帯電話機やＰＤＡ等の通信式情報端末（外部装置）９４との間で通信を行うことにより前記エフェクト情報を取り込むものである。例えば、上記通信式情報端末９４から送信されるブルートゥース信号を前記ブルートゥースモジュール４２により受信してエフェクト情報乃至はその要素として取り込む。
【００３２】
また、前記エフェクト映像取込手段８２は、好適には、前記タブレット４４を用いて利用者により描かれた映像をエフェクト映像乃至はその要素として取り込むものである。例えば、図１１のような線画乃至はその線画を描いてゆく様子を記録した動画を取り込む。この映像が所定の背景映像及び歌詞文字映像に付加されることで、図１２に示すようなカラオケ映像として表示される。
【００３３】
また、前記エフェクト映像取込手段８２は、好適には、前記デジタルカメラ４６により撮像された映像をエフェクト映像乃至はその要素として取り込むものである。例えば、図１３に示すような利用者の静止撮像乃至は動画を取り込む。また、前記エフェクト音声取込手段８４は、好適には、前記マイク２２により入力された音声をエフェクト音声乃至はその要素として取り込むものである。
【００３４】
エフェクト情報編集手段８６は、前記エフェクト映像取込手段８２により取り込まれた映像に、予め用意された映像や文字等を付加してエフェクト映像を編集すると共に、前記エフェクト音声取込手段８４により取り込まれた音声をエフェクト音声としてそのエフェクト映像に関連付けてエフェクト情報を作成する。例えば、前記デジタルカメラ４６により取り込まれた図１３に示すような映像に、予め用意された吹き出し映像及びその吹き出し映像に書き込まれる「○○さん最高！」といった台詞文字映像を付加して、図１４に示すようなエフェクト映像を編集する。このエフェクト映像が所定の背景映像及び歌詞文字映像に付加されることで、図１５に示すようなカラオケ映像として表示される。また、前記マイク２２により入力された利用者の音声、楽器の演奏音、或いは拍手等をエフェクト音声としてそのエフェクト映像に関連付けてエフェクト情報を作成する。このエフェクト情報編集手段８６は、前記エフェクトデータベース７６に記憶された共通のエフェクト情報を編集し得るものであってもよい。
【００３５】
エフェクト情報出力手段８８は、前記演奏曲の出力中すなわち曲間乃至は曲中において、所定の入力操作に応じて予め記憶されたエフェクト情報に基づいて短時間のエフェクトを出力させる。例えば、前記リモコン４８の表示部６４に所定のファイル番号が表示されている状態で前記ＳＥ釦６２が押される操作に応じて前記エフェクトデータベース７６に記憶されたそのファイル番号に対応するエフェクトを数秒間出力させる。このエフェクト情報出力手段８８は、エフェクト情報に含まれる映像情報を復号して前記映像表示装置１２にエフェクト映像として表示させるエフェクト映像再生手段９０と、そのエフェクト映像の出力と同期してエフェクト情報に含まれる音声情報を復号して前記スピーカ２０からエフェクト音声として出力させるエフェクト音声再生手段９２とを備えている。
【００３６】
上記エフェクト映像再生手段９０は、好適には、前記背景映像を表示させるための図７に示すような第１レイヤ（背景レイヤ）９６と演奏曲の歌詞文字映像を表示させるための図８に示すような第２レイヤ（テロップレイヤ）９８との間に設けられる図９に示すようなアクティブレイヤ１００によりエフェクト映像を表示させるものである。通常のカラオケ映像では、画面奥側から第１レイヤ９６及び第２レイヤ９８が設けられており、必要に応じてそれらの間にアクティブレイヤ１００を設けることが可能とされているため、そのアクティブレイヤ１００によりエフェクト映像を表示させることで、前記背景映像の上にそのエフェクト映像が重ねられ、場合によってはそのエフェクト映像の上に歌詞文字映像が重ねられて、図１０に示すようなカラオケ映像として表示される。
【００３７】
図１６は、前記カラオケ装置１０のＣＰＵ２６によるエフェクト情報入出力制御を説明するフローチャートであり、所定の周期で繰り返し実行されるものである。
【００３８】
先ず、ステップ（以下、ステップを省略する）Ｓ１において、前記リモコン４８等によりエフェクト情報の出力操作が行われたか否かが判断される。このＳ１の判断が肯定される場合には、前記エフェクト情報出力手段８８（エフェクト映像出力手段９０及びエフェクト音声出力手段９２）に対応するＳ２において、前記エフェクトデータベース７６に予め記憶された所定のエフェクト情報が読み出され、そのエフェクト情報に対応するエフェクト音声が前記スピーカ２０から出力されると共に、エフェクト映像が前記背景映像に付加されてそのエフェクト音声の出力と同期して前記映像表示装置１２に表示された後、本ルーチンが終了させられるが、Ｓ１の判断が否定される場合には、Ｓ３において、前記リモコン４８等によりエフェクト情報の入力操作が行われたか否かが判断される。このＳ３の判断が否定される場合には、それをもって本ルーチンが終了させられるが、Ｓ３の判断が肯定される場合には、Ｓ４において、前記通信式情報端末９４との間で通信が行われることによる映像の取り込みであるか否かが判断される。このＳ４の判断が肯定される場合には、Ｓ５において、前記ブルートゥースモジュール４２を介して前記通信式情報端末９４から映像が取り込まれた後、Ｓ１０の判断が行われるが、Ｓ４の判断が否定される場合には、Ｓ６において、前記タブレット４４を用いて描かれた映像の取り込みであるか否かが判断される。このＳ６の判断が肯定される場合には、Ｓ７において、前記タブレット４４から映像が取り込まれた後、Ｓ１０の判断が行われるが、Ｓ６の判断が否定される場合には、Ｓ８において、前記デジタルカメラ４６により撮像された映像の取り込みであるか否かが判断される。このＳ８の判断が否定される場合には、それをもって本ルーチンが終了させられるが、Ｓ８の判断が肯定される場合には、Ｓ９において、前記デジタルカメラ４６から映像が取り込まれた後、Ｓ１０において、映像の編集が行われるか否かが判断される。このＳ１０の判断が肯定される場合には、前記エフェクト情報編集手段８６に対応するＳ１１において、Ｓ５、Ｓ７、又はＳ９にて取り込まれた映像に、予め用意された映像や文字等を付加するエフェクト映像の編集が行われた後、前記エフェクト音声取込手段８４に対応するＳ１２において、前記マイク２２等から音声が取り込まれる。次に、Ｓ１３において、取り込まれた映像及び音声が同期してプレビュー出力された後、Ｓ１４において、Ｓ１３にて出力されたエフェクトを登録させるか否かが判断される。このＳ１４の判断が肯定される場合には、Ｓ１５において、Ｓ１３にて出力されたエフェクトが前記エフェクトデータベース７６に利用者オリジナルのエフェクト情報として記憶された後、Ｓ１６の判断が行われるが、Ｓ１４の判断が否定される場合には、Ｓ１６において、エフェクト情報の入力を終了させるか否かが判断される。このＳ１６の判断が否定される場合には、Ｓ４以下の処理が再び実行されるが、Ｓ１６の判断が肯定される場合には、それをもって本ルーチンが終了させられる。以上の制御において、Ｓ５、Ｓ７、Ｓ９、Ｓ１２、及びＳ１５が前記エフェクト情報取込手段８０に、Ｓ５、Ｓ７、及びＳ９が前記エフェクト映像取込手段８２にそれぞれ対応する。
【００３９】
このように、本実施例によれば、前記演奏曲の出力中において、所定の入力操作に応じて予め記憶されたエフェクト音声を出力させると共に、そのエフェクト音声の出力と同期して予め記憶されたエフェクト映像を前記背景映像に付加して表示させるものであることから、エフェクト音声のみを出力させる場合に比べて強い印象を与えることができる。すなわち、場の雰囲気を効果的に盛り上げるエフェクト機能を備えたカラオケ装置１０を提供することができる。
【００４０】
また、前記エフェクト映像は、前記背景映像を表示させるための第１レイヤ９６と演奏曲の歌詞文字映像を表示させるための第２レイヤ９８との間に設けられるアクティブレイヤ１００により少なくとも前記背景映像に重ねて表示されるものであるため、実用的な態様で前記エフェクト映像を背景映像に付加できるという利点がある。
【００４１】
また、前記エフェクト音声及びエフェクト映像を出力させるためのエフェクト情報を取り込んで記憶させるエフェクト情報取込手段８０（Ｓ５、Ｓ７、Ｓ９、Ｓ１２、及びＳ１５）を含むものであるため、利用者により入力されたエフェクト情報に基づいて多様なエフェクト音声及びエフェクト映像を出力させることができるという利点がある。
【００４２】
また、前記エフェクト情報取込手段８０は、映像、音声、及び文字のうち少なくとも１つを前記エフェクト情報の要素として取り込むものであるため、利用者により入力された映像、音声、及び文字を要素として多様なエフェクト情報を形成できるという利点がある。
【００４３】
また、前記エフェクト情報取込手段８０は、前記通信式情報端末９４との間で通信を行うことにより前記エフェクト情報を取り込むものであるため、実用的な態様で前記エフェクト情報と取り込むことができるという利点がある。
【００４４】
また、前記エフェクト映像取込手段８２（Ｓ５、Ｓ７、及びＳ９）は、座標指定入力装置である前記タブレット４４を用いて描かれた映像を取り込むものであるため、利用者により描かれた映像を前記エフェクト映像乃至はその要素として取り込むことができるという利点がある。
【００４５】
また、前記エフェクト映像取込手段８２は、撮像装置である前記デジタルカメラ４６により撮像された映像を取り込むものであるため、そのデジタルカメラ４６により撮像された利用者の映像を前記エフェクト映像乃至はその要素として取り込むことができるという利点がある。
【００４６】
また、前記エフェクト音声取込手段８４（Ｓ１２）は、音声入力装置である前記マイク２２により入力された音声を取り込むものであるため、利用者により入力された音声を前記エフェクト音声乃至はその要素として取り込むことができるという利点がある。
【００４７】
また、前記エフェクト映像取込手段８２により取り込まれた映像に、予め用意された映像及び／又は文字を付加してエフェクト映像を編集するエフェクト情報編集手段８６（Ｓ１１）を含むものであるため、利用者の所望に応じて多様なエフェクト情報を編集できるという利点がある。
【００４８】
以上、本発明の好適な実施例を図面に基づいて詳細に説明したが、本発明はこれに限定されるものではなく、更に別の態様においても実施される。
【００４９】
例えば、前述の実施例において、前記カラオケ装置１０は、前記リモコン４８等による所定の入力操作に応じてエフェクトを出力させるものであったが、本発明はこれに限定されるものではなく、例えば、図１７に示すような太鼓型操作装置１０２の操作に応じてエフェクトを出力させるものであってもよい。この太鼓型操作装置１０２は、太鼓のばちに対応する棒部材１０４と、その棒部材１０４により太鼓の膜に対応する平面部１０８が打たれることで前記ＣＰＵ２６に信号を送る装置本体１０６とがそれぞれ別体として設けられている。本発明の音楽再生装置は、例えば、上記棒部材１０４により装置本体１０６の平面部１０８を打つ操作に応じてエフェクトを出力させるものであってもよい。また、その打つ強さに応じてエフェクト音声の大きさを変化させたり、エフェクト映像を振動させたり、エフェクト映像の色彩を変化させる等、様々な態様が考えられる。
【００５０】
また、前述の実施例において、前記カラオケ装置１０は、前記タブレット４４を用いて描かれた映像を取り込み、予めエフェクト映像として前記エフェクトデータベース７６に記憶させた後に出力させるものであったが、例えば、前記タブレット４４を用いて描かれる映像をリアルタイムで前記映像表示装置１２にエフェクト映像として表示させるものであっても構わない。また、前記リモコン装置４８の矢印釦５４等の操作に応じてエフェクト映像を任意に移動させ得る構成も考えられる。
【００５１】
また、前述の実施例では、特に言及していないが、エフェクトを出力させるタイミングは操作が行われた直後には限られず、例えば、歌唱パートに対応する曲中を避けて曲間になった時点、或いは演奏が終了した時点で拍手等のエフェクトを出力させる態様も当然に考えられる。
【００５２】
その他、一々例示はしないが、本発明はその趣旨を逸脱しない範囲内において、種々の変更が加えられて実施されるものである。
【図面の簡単な説明】
【００５３】
【図１】本発明が適用された音楽再生装置の一実施例であるカラオケ装置の構成を説明するブロック線図である。
【図２】図１のカラオケ装置に備えられたリモコンの操作部を説明する図である。
【図３】図１のカラオケ装置に備えられたタブレットの構成を説明する図である。
【図４】図１のカラオケ装置のハードディスクに設けられた各種データベースを説明する図である。
【図５】図４のエフェクトデータベースの一例を示す図である。
【図６】図１のカラオケ装置による制御機能の要部を説明する機能ブロック線図である。
【図７】図１のカラオケ装置の映像表示装置に背景映像を表示させるための第１レイヤを例示する図である。
【図８】図１のカラオケ装置の映像表示装置に歌詞文字映像を表示させるための第２レイヤを例示する図である。
【図９】図１のカラオケ装置の映像表示装置にエフェクト映像を表示させるためのアクティブレイヤを例示する図である。
【図１０】図１のカラオケ装置の映像表示装置に表示されるカラオケ映像を例示する図である。
【図１１】図１のカラオケ装置に備えられたタブレットから入力される映像を例示する図である。
【図１２】図１のカラオケ装置の映像表示装置に表示されるカラオケ映像の他の一例を示す図である。
【図１３】図１のカラオケ装置に備えられたデジタルカメラから入力される映像を例示する図である。
【図１４】図６のエフェクト情報編集手段により編集されたエフェクト映像を例示する図である。
【図１５】図１のカラオケ装置の映像表示装置に表示されるカラオケ映像の更に別の一例を示す図である。
【図１６】図１のカラオケ装置によるエフェクト情報入出力制御を説明するフローチャートである。
【図１７】図１のカラオケ装置に備えられるエフェクトを出力させるための入力装置の他の一例である太鼓型操作装置を示す図である。
【符号の説明】
【００５４】
１０：カラオケ装置（音楽再生装置）
２２：マイク（音声入力装置）
４４：タブレット（座標指定入力装置）
４６：デジタルカメラ（撮像装置）
８０：エフェクト情報取込手段
８６：エフェクト情報編集手段
９４：通信式情報端末
９６：第１レイヤ
９８：第２レイヤ
１００：アクティブレイヤ
【図１】
2005173080.tif 000003
【図２】
2005173080.tif 000004
【図３】
2005173080.tif 000005
【図４】
2005173080.tif 000006
【図５】
2005173080.tif 000007
【図６】
2005173080.tif 000008
【図７】
2005173080.tif 000009
【図８】
2005173080.tif 000010
【図９】
2005173080.tif 000011
【図１０】
2005173080.tif 000012
【図１１】
2005173080.tif 000013
【図１２】
2005173080.tif 000014
【図１３】
2005173080.tif 000015
【図１４】
2005173080.tif 000016
【図１５】
2005173080.tif 000017
【図１６】
2005173080.tif 000018
【図１７】
2005173080.tif 000019